(57)【要約】【課題】空調機の組立作業の効率性を改善することができる。【解決手段】電動機駆動電源・制御回路１は、交流電力を伝送する一次側電力線α１、α２と、交流電力を整流する整流回路１２と、整流回路１２によって整流されてなる直流電力を伝送する二次側電力線β１、β２と、空調機制御用電力を生成するスイッチング電源回路１３と、一次側電力線α１、α２上、及び、二次側電力線β１、β２上の少なくとも何れか一方に設けられ、フェライトコアで除去可能なノイズを除去の対象とする第１ノイズフィルタ部１０と、一次側電力線α１、α２上に設けられ、フェライトコアで除去可能なノイズよりも低い周波数帯域に属するノイズを除去の対象とする第２ノイズフィルタ部１１と、を備えている。【選択図】図１
2017158270.tif 000002
【特許請求の範囲】
【請求項１】
基板上に実装され、商用電源から電力変換回路が内蔵された電動機を駆動させるための駆動電力の生成及び制御を行う電動機駆動電源・制御回路であって、
前記商用電源からの交流電力を伝送する一次側電力線と、
前記一次側電力線を通じて伝送された前記交流電力を整流する整流回路と、
前記交流電力が前記整流回路によって整流されてなる直流電力を前記電動機に向けて伝送する二次側電力線と、
前記二次側電力線を通じて伝送された前記直流電力から所定の定電圧を生成するスイッチング電源回路と、
前記一次側電力線上、及び、前記二次側電力線上の少なくとも何れか一方に設けられ、フェライトコアで除去可能なノイズを除去の対象とする第１ノイズフィルタ部と、
前記一次側電力線上に設けられ、前記フェライトコアで除去可能なノイズよりも低い周波数帯域に属するノイズを除去の対象とする第２ノイズフィルタ部と、
を備える電動機駆動電源・制御回路。
【請求項２】
前記第１ノイズフィルタ部は、
前記一次側電力線上、及び、前記二次側電力線上の少なくとも何れか一方における、前記スイッチング電源回路よりも前記商用電源に近い位置に設けられる
請求項１に記載の電動機駆動電源・制御回路。
【請求項３】
前記第１ノイズフィルタ部は、
前記一次側電力線上における、前記第２ノイズフィルタ部よりも前記商用電源に近い位置に設けられる
請求項１に記載の電動機駆動電源・制御回路。
【請求項４】
前記第１ノイズフィルタ部は、
前記一次側電力線上、及び、前記二次側電力線上の少なくとも何れか一方において直列接続されたインダクタ素子を有してなる
請求項１から請求項３のいずれか一項に記載の電動機駆動電源・制御回路。
【請求項５】
前記基板は、
前記インダクタ素子が実装される２つのインダクタ接続端子の間に開口部を有する
請求項４に記載の電動機駆動電源・制御回路。
【請求項６】
前記インダクタ素子は、
フェライトビーズにリード線を通してなるフェライトビーズインダクタである
請求項４又は請求項５に記載の電動機駆動電源・制御回路。
【請求項７】
請求項１から請求項６の何れか一項に記載の電動機駆動電源・制御回路と、
前記電動機と、
を備える空調機。
【発明の詳細な説明】
【技術分野】
【０００１】
本発明は、電動機駆動電源・制御回路及び空調機に関する。
【背景技術】
【０００２】
空気調和機（空調機）には、主として、商用電源から電力変換回路が内蔵されたファンモータ等を駆動させるための駆動電力の生成及び制御を行う電動機駆動電源・制御回路が搭載されている。近年、装置全体の小型化が進められている状況においては、商用電源が接続される配線（一次側）と電力変換回路が内蔵されたファンモータ等に接続される配線（二次側）との近接、接触が避けられない場合がある。ここで、電力変換回路が内蔵されたファンモータ等の電動機は、特に大きなノイズ源となっているため、装置の小型化は、電力供給源（商用電源）へ出力されるノイズレベルを悪化させ得る。
この問題への対策として、電動機駆動電源・制御回路から、ノイズ源である電力変換回路が内蔵されたファンモータ等へと接続される配線にフェライトコアを取り付けることで一次側へ伝わるノイズの低減が図られている。
【０００３】
また、一般に、小電力系の信号線に生じ得るノイズのフィルタとして、フェライトビーズインダクタ等が知られている（例えば、特許文献１参照）。
【先行技術文献】
【特許文献】
【０００４】
【特許文献１】実開平０５−０４１２２１号公報
【発明の概要】
【発明が解決しようとする課題】
【０００５】
上述したように、小型化が進められている近年の空調機（特に室内機）においては、空調機を制御する回路が実装された基板、電力変換回路が内蔵されたファンモータ等の設置スペースが極めて狭い。そうすると、空調機の組立作業に許容される空間が限定されてしまい、それ故、フェライトコアを取り付けながらの配線の引き回し等、複雑な作業を行うことが困難になっている。
即ち、空調機の組立作業において、フェライトコアを取り付ける作業を要することが組立作業の効率性の悪化を招いている。
【０００６】
本発明は、上記課題に鑑みてなされたものであって、その目的は、空調機の組立作業の効率性を改善することができる電動機駆動電源・制御回路及び空調機を提供することにある。
【課題を解決するための手段】
【０００７】
本発明の一態様は、基板上に実装され、商用電源から電力変換回路が内蔵された電動機を駆動させるための駆動電力の生成及び制御を行う電動機駆動電源・制御回路であって、前記商用電源からの交流電力を伝送する一次側電力線と、前記一次側電力線を通じて伝送された前記交流電力を整流する整流回路と、前記交流電力が前記整流回路によって整流されてなる直流電力を前記電動機に向けて伝送する二次側電力線と、前記二次側電力線を通じて伝送された前記直流電力から所定の定電圧を生成するスイッチング電源回路と、前記一次側電力線上、及び、前記二次側電力線上の少なくとも何れか一方に設けられ、フェライトコアで除去可能なノイズを除去の対象とする第１ノイズフィルタ部と、前記一次側電力線上に設けられ、前記フェライトコアで除去可能なノイズよりも低い周波数帯域に属するノイズを除去の対象とする第２ノイズフィルタ部と、を備える電動機駆動電源・制御回路である。
【０００８】
また、本発明の一態様によれば、前記第１ノイズフィルタ部は、前記一次側電力線上、及び、前記二次側電力線上の少なくとも何れか一方における、前記スイッチング電源回路よりも前記商用電源に近い位置に設けられる。
【０００９】
また、本発明の一態様によれば、前記第１ノイズフィルタ部は、前記一次側電力線上における、前記第２ノイズフィルタ部よりも前記商用電源に近い位置に設けられる。
【００１０】
また、本発明の一態様によれば、前記第１ノイズフィルタ部は、前記一次側電力線上、及び、前記二次側電力線上の少なくとも何れか一方において直列接続されたインダクタ素子を有してなる。
【００１１】
また、本発明の一態様によれば、前記基板は、前記インダクタ素子が実装される２つのインダクタ接続端子の間に開口部を有する。
【００１２】
また、本発明の一態様によれば、前記インダクタ素子は、フェライトビーズにリード線を通してなるフェライトビーズインダクタである。
【００１３】
また、本発明の一態様は、上記に記載の電動機駆動電源・制御回路と、前記電動機と、を備える空調機である。
【発明の効果】
【００１４】
上述の電動機駆動電源・制御回路及び空調機によれば、空調機の組立作業の効率性を改善することができる。
【図面の簡単な説明】
【００１５】
【図１】第１の実施形態に係る電動機駆動電源・制御回路の回路構成を示す図である。
【図２】第１の実施形態に係る第１ノイズフィルタ部の構造を示す第１の図である。
【図３】第１の実施形態に係る第１ノイズフィルタ部の構造を示す第２の図である。
【図４】第１の実施形態の対比例に係る電動機駆動電源・制御回路の回路構成を示す図である。
【図５】第１の実施形態の第１の変形例に係る電動機駆動電源・制御回路の回路構成を示す図である。
【図６】第１の実施形態の第２の変形例に係る電動機駆動電源・制御回路の回路構成を示す図である。
【図７】第１の実施形態の第３の変形例に係る電動機駆動電源・制御回路の回路構成を示す図である。
【図８】第１の実施形態の第４の変形例に係る電動機駆動電源・制御回路の回路構成を示す図である。
【発明を実施するための形態】
【００１６】
＜第１の実施形態＞
以下、第１の実施形態に係る電動機駆動電源・制御回路について、図１〜図４を参照しながら説明する。
【００１７】
（回路の全体構成）
図１は、第１の実施形態に係る電動機駆動電源・制御回路の回路構成を示す図である。
図１に示す電動機駆動電源・制御回路１は、商用電源２から電力変換回路３０が内蔵された電動機（ファンモータ３）を駆動させるための駆動電力の生成及び制御を行う電気回路である。電動機駆動電源・制御回路１は、複数の電気回路素子を有して基板１Ａ上に実装されてなる。基板１Ａは、電気回路の形成に用いられる一般的なプリント基板である。
図１に示すように、電動機駆動電源・制御回路１の一次側接続端子Ｉ１、Ｉ２には、商用電源である商用電源２が接続される。また、電動機駆動電源・制御回路１の二次側接続端子Ｏ１、Ｏ２には電力変換回路３０が内蔵されたファンモータ３が接続される。電動機駆動電源・制御回路１は、商用電源２から供給された交流電力を、電動機（電力変換回路３０が内蔵されたファンモータ３）を動作させるための直流電力に変換して出力する。
ここで、「商用電源２から供給された交流電力」とは、本実施形態においては、例えば、ＡＣ２００Ｖ（５０Ｈｚ又は６０Ｈｚ）の交流電力である。
本実施形態においては、図１に示す電動機駆動電源・制御回路１及び電力変換回路３０が内蔵されたファンモータ３は、空気調和機（空調機）の室内機に搭載される。
【００１８】
図１に示すように、電動機駆動電源・制御回路１は、第１ノイズフィルタ部１０と、第２ノイズフィルタ部１１と、整流回路１２と、スイッチング電源回路１３と、一次側電力線α１、α２と、二次側電力線β１、β２と、を備えている。
一次側接続端子Ｉ１、Ｉ２から整流回路１２にかけては、対となる２本の一次側電力線α１、α２を通じて、商用電源２から供給された交流電力（ＡＣ２００Ｖ）が伝送される。また、整流回路１２から二次側接続端子Ｏ１、Ｏ２までは、二次側電力線β１、β２を通じて直流電力が伝送される。
【００１９】
第１ノイズフィルタ部１０は、一次側電力線α１、α２上に接続され、フェライトコアで除去可能なノイズ（１０ＭＨｚ〜１ＧＨｚの周波数帯域）を除去の対象とするノイズフィルタである。第１ノイズフィルタ部１０の具体的な構成については後述する。
【００２０】
第２ノイズフィルタ部１１は、一次側電力線α１、α２上に設けられ、フェライトコアで除去可能なノイズよりも低い周波数帯域（例えば、１ＭＨｚ前後の周波数帯域）に属するノイズを除去の対象とするノイズフィルタである。
第２ノイズフィルタ部１１は、一次側電力線α１、α２上に重畳されるコモンモードノイズを低減可能なコモンモードチョークコイル１１０ａ、１１０ｂと、一次側電力線α１、α２及びグランド線Ｇの各々の間に接続されたコンデンサ素子１１１ａ、１１１ｂ、１１１ｃを有している。
【００２１】
整流回路１２は、一次側電力線α１、α２を通じて伝送された交流電力（ＡＣ２００Ｖ）を整流する回路であって、例えば、４個のダイオード素子がブリッジ接続されてなる。整流回路１２は、整流して得られた直流電力を二次側電力線β１、β２に出力する。
【００２２】
二次側電力線β１、β２は、商用電源２からの交流電力が整流回路１２によって整流されてなる直流電力を、二次側接続端子Ｏ１、Ｏ２を通じて、ファンモータ３に向けて伝送する。
【００２３】
スイッチング電源回路１３は、二次側電力線β１、β２を通じて伝送された直流電力（整流回路１２によって整流されてなる直流電力）から空調機制御用の所定の定電圧を生成する。より具体的に説明すると、スイッチング電源回路１３は、電動機駆動電源・制御回路１及びファンモータ３が搭載された室内機の動作全体を制御する空調機制御用回路１４（マイコン）に必要な定電圧を出力する電源回路である。スイッチング電源回路１３は、内部に有する半導体スイッチ素子（図示せず）のスイッチング動作に基づき、整流回路１２を通じて得られた直流電力から空調機制御用回路１４用の定電圧を生成する。
【００２４】
ファンモータ３に内蔵された電力変換回路３０は、二次側電力線β１、β２及び二次側接続端子Ｏ１、Ｏ２を通じて伝送された直流電力から電動機駆動用電力を生成する電源回路である。電力変換回路３０は、所定の制御手段によって半導体スイッチ素子のオン・オフ時間比率（デューティ比）をコントロールする事により安定化された所望の電圧レベルを出力可能とする。
【００２５】
（第１ノイズフィルタの回路構成）
図１に示すように、第１ノイズフィルタ部１０は、一次側電力線α１、α２上における、第２ノイズフィルタ部１１よりも商用電源２に近い位置に設けられている。
第１ノイズフィルタ部１０は、商用電源２及び整流回路１２を結ぶ一方の一次側電力線α１上において直列に接続されたフェライトビーズインダクタ１０１ａと、商用電源２及び整流回路１２を結ぶ他方の一次側電力線α２上において直列に接続されたフェライトビーズインダクタ１０１ｂと、を有してなる。
本実施形態においてフェライトビーズインダクタ１０１ａ、１０１ｂは、いずれも、０．５〜１μＨ程度のインダクタンスを有し、フェライトコアで除去可能なノイズの周波数帯域において高いインピーダンスを示すインピーダンス特性を有している。
【００２６】
（第１ノイズフィルタ部の構造）
図２、図３は、それぞれ、第１の実施形態に係る第１ノイズフィルタ部の構造を示す第１の図、第２の図である。
図２は、第１ノイズフィルタ部１０のフェライトビーズインダクタ１０１ａ及びその周辺の基板１Ａの構造を示す斜視図である。
図３は、基板１Ａのうちフェライトビーズインダクタ１０１ａが実装される領域の平面図である。
次に、図２、図３を参照しながら、第１ノイズフィルタ部１０の構造について説明する。
【００２７】
図２に示すように、フェライトビーズインダクタ１０１ａは、リード線１０１０と、２個のフェライトビーズ１０１１と、備えている。
リード線１０１０は、２個の筒状のフェライトビーズ１０１１に通されながら、逆Ｕ字型に一次側電力線α１上に直列接続されている。ここで、図２に示すように、一次側電力線α１は、基板１Ａ上に形成されたインダクタ接続端子Ｐ１及びインダクタ接続端子Ｐ２の間において絶縁（物理的に切断）されている。リード線１０１０の一端は、一次側電力線α１上のインダクタ接続端子Ｐ１で半田付けされる。また、リード線１０１０の他端は、一次側電力線α１上のインダクタ接続端子Ｐ２で半田付けされる。これにより、フェライトビーズインダクタ１０１ａのリード線１０１０を介して、一次側電力線α１が結線される。
【００２８】
図２、図３に示すように、基板１Ａは、フェライトビーズインダクタ１０１ａが実装される２つのインダクタ接続端子Ｐ１、Ｐ２の間に開口部Ｗを有している。逆Ｕ字型に形成されたリード線１０１０は、開口部Ｗを跨ぐように、インダクタ接続端子Ｐ１とインダクタ接続端子Ｐ２との間を接続する。
図３に示すように、開口部Ｗは、基板１Ａの平面内において、インダクタ接続端子Ｐ１とインダクタ接続端子Ｐ２とを結ぶ軸（図３の軸Ｘ）を短軸とし、短軸方向に直交する軸（図３の軸Ｙ）を長軸とする形状で、基板１Ａに開口されてなる長穴である。本実施形態において、開口部Ｗは、電力線についてＩＥＣ（International Electrotechnical Commission）標準規格にて定められている絶縁性能を満足するために形成されている。
【００２９】
具体的には、開口部Ｗの幅ｄ３（短軸方向の間隔）は、１．６ｍｍとされている。また、開口部Ｗの長軸方向端部からインダクタ接続端子Ｐ１までの距離ｄ１、及び、開口部Ｗの長軸方向端部からインダクタ接続端子Ｐ２までの距離ｄ２は、共に、２ｍｍとされている。これにより、インダクタ接続端子Ｐ１からインダクタ接続端子Ｐ２までの沿面距離（基板１Ａの面に沿う距離（ｄ１＋ｄ２））が４ｍｍとなる。
このように、基板１Ａに開口部Ｗが設けられることで、仮に、フェライトビーズインダクタ１０１ａが故障（絶縁）した場合であっても、一次側電力線α１上におけるインダクタ接続端子Ｐ１からインダクタ接続端子Ｐ２までの間の絶縁性が担保される。
【００３０】
なお、フェライトビーズインダクタ１０１ｂ及び一次側電力線α２の構造的関係は、フェライトビーズインダクタ１０１ａ及び一次側電力線α１と同様であるため説明を省略する。
【００３１】
（作用・効果）
図４は、第１の実施形態の対比例に係る電動機駆動電源・制御回路の回路構成を示す図である。
図４に示すように、第１の実施形態の対比例に係る電動機駆動電源・制御回路９は、電動機駆動電源・制御回路１と同様に、一次側において商用電源２が接続され、二次側において電力変換回路３０が内蔵されたファンモータ３が接続される。また、電動機駆動電源・制御回路９の二次側接続端子Ｏ１、Ｏ２と、電力変換回路３０が内蔵されたファンモータ３と、を接続する配線には、リング状のフェライトコア４が取り付けられている。
他方、電動機駆動電源・制御回路９には、第１ノイズフィルタ部１０が設けられていない。
以下、第１の実施形態に係る電動機駆動電源・制御回路１における作用、効果について、対比例に係る電動機駆動電源・制御回路９と対比しながら説明する。
【００３２】
まず、対比例（図４）の場合、電力変換回路３０が内蔵されたファンモータ３で生じたノイズのうち所定の周波数帯域（１０ＭＨｚ〜１ＧＨｚ）に属するノイズは、フェライトコア４で除去可能であるため、電動機駆動電源・制御回路９への伝搬が抑制される。したがって、上記所定の周波数帯域（１０ＭＨｚ〜１ＧＨｚ）に属するノイズのノイズレベルは、商用電源２への伝搬が抑制される。
【００３３】
他方、第１の実施形態（図１）の場合、フェライトコア４が取り付けられていないため、電力変換回路３０が内蔵されたファンモータ３で生じた同周波数帯域に属するノイズは、二次側接続端子Ｏ１、Ｏ２を通じて電動機駆動電源・制御回路１へ伝搬する。電動機駆動電源・制御回路１に進入したノイズは、二次側電力線β１、β２及び整流回路１２を介して一次側電力線α１、α２に伝搬する。ここで、一次側電力線α１、α２に設けられた第２ノイズフィルタ部１１は、上記所定の周波数帯域（１０ＭＨｚ〜１ＧＨｚ）に属するノイズを除去の対象としていない。したがって、同周波数帯域に属するノイズのノイズレベルは、第２ノイズフィルタ部１１によっては低減されない。
しかしながら、第１ノイズフィルタ部１０は、２個のフェライトビーズ１０１１（図２）を有するフェライトビーズインダクタ１０１で構成されるため、フェライトコア４で除去可能なノイズを除去の対象とすることができる。したがって、上記所定の周波数帯域（１０ＭＨｚ〜１ＧＨｚ）に属するノイズのノイズレベルは、第１ノイズフィルタ部１０によって低減され、商用電源２への伝搬が抑制される。
【００３４】
以上のように、第１の実施形態に係る電動機駆動電源・制御回路１は、一次側電力線α１、α２上に設けられ、フェライトコア４で除去可能なノイズを除去の対象とする第１ノイズフィルタ部１０を備えている。
これにより、フェライトコア４を排しながらも、商用電源２へ出力されるノイズレベルを抑制することができる。また、第１ノイズフィルタ部１０は、予め基板１Ａ上に実装されるものであり、空調機の組立作業時において複雑な組立工程をもたらすものではない。したがって、商用電源２へのノイズレベルを悪化させることなく空調機の組立作業の効率性を改善することができる。
【００３５】
また、電力変換回路３０が内蔵されたファンモータ３の他、半導体スイッチ素子を有するスイッチング電源回路１３も、主要なノイズ発生源である。
ここで、対比例（図４）の場合、スイッチング電源回路１３で生じたノイズのうち上記所定の周波数帯域（１０ＭＨｚ〜１ＧＨｚ）に属するノイズは、二次側電力線β１、β２及び整流回路１２を介して一次側電力線α１、α２に伝搬する。一次側電力線α１、α２に設けられた第２ノイズフィルタ部１１は、上記所定の周波数帯域（１０ＭＨｚ〜１ＧＨｚ）に属するノイズを除去の対象としていない。したがって、同周波数帯域に属するノイズのノイズレベルは、第２ノイズフィルタ部１１によっては低減されない。
以上より、スイッチング電源回路１３で生じたノイズのうち上記所定の周波数帯域に属するノイズは、低減されないまま商用電源２へ伝搬する。
【００３６】
他方、第１の実施形態（図１）の場合、スイッチング電源回路１３で生じたノイズのうち上記所定の周波数帯域（１０ＭＨｚ〜１ＧＨｚ）に属するノイズは、二次側電力線β１、β２及び整流回路１２を介して一次側電力線α１、α２に伝搬する。そして、上記所定の周波数帯域に属するノイズのノイズレベルは、第１ノイズフィルタ部１０によって低減され、商用電源２への伝搬が抑制される。
【００３７】
このように、第１の実施形態に係る第１ノイズフィルタ部１０は、スイッチング電源回路１３よりも商用電源２に近い位置に設けられている。
このようにすることで、電力変換回路３０が内蔵されたファンモータ３によるノイズのみならず、スイッチング電源回路１３で生じたノイズをも除去することができるので、商用電源２へのノイズレベルを改善することができる。
【００３８】
また、対比例（図４）に係る電動機駆動電源・制御回路９も、フェライトコア４で除去可能なノイズよりも低い周波数帯域に属するノイズを除去の対象とする第２ノイズフィルタ部１１を有している。ここで、第２ノイズフィルタ部１１は、図４（図１）に示すように、複数の受動素子（インダクタ素子及びコンデンサ素子）によって構成されている。そうすると、例えば、電力変換回路３０が内蔵されたファンモータ３に結線される配線と、一次側電力線α１、α２と、が近接して設置された場合、これによって発生した浮遊容量等に起因して、第２ノイズフィルタ部１１において予期しない共振回路が形成され、上記所定の周波数帯域（１０ＭＨｚ〜１ＧＨｚ）に属するノイズが励振され、商用電源２へ伝搬することが想定される。
【００３９】
他方、第１の実施形態に係る第１ノイズフィルタ部１０（図１）は、一次側電力線α１、α２上における、第２ノイズフィルタ部１１よりも商用電源２に近い位置に設けられている。
このようにすることで、第１ノイズフィルタ部１０は、上記のように電力変換回路３０が内蔵されたファンモータ３から浮遊容量及び第２ノイズフィルタ部１１を通じて伝搬されたノイズをも低減することができる。
【００４０】
また、第１の実施形態に係る電動機駆動電源・制御回路１は、基板１Ａのうち、フェライトビーズインダクタ１０１が実装される２つのインダクタ接続端子Ｐ１、Ｐ２の間に開口部Ｗが設けられている。
これにより、一次側電力線α１（α２）上におけるインダクタ接続端子Ｐ１からインダクタ接続端子Ｐ２までの間の絶縁性が担保される。
【００４１】
また、第１の実施形態に係る電動機駆動電源・制御回路１は、第１ノイズフィルタ部１０を構成するインダクタ素子として、２個のフェライトビーズ１０１１にリード線１０１０を通してなるフェライトビーズインダクタ１０１ａ、１０１ｂを用いている。
このように、リードタイプのフェライトビーズインダクタを用いることで、開口部Ｗを挟むように配置されたインダクタ接続端子Ｐ１、Ｐ２への実装（半田付け）工程を容易化することができる。
【００４２】
＜第１の実施形態の変形例＞
以上、第１の実施形態に係る電動機駆動電源・制御回路１について詳細に説明したが、電動機駆動電源・制御回路１の具体的な態様は、上述のものに限定されることはなく、要旨を逸脱しない範囲内において種々の設計変更等を加えることは可能である。
【００４３】
図５は、第１の実施形態の第１の変形例に係る電動機駆動電源・制御回路の回路構成を示す図である。
第１の変形例に係る第１ノイズフィルタ部１０は、図５に示すように、フェライトビーズインダクタ１０１ｂを有しておらず、一次側電力線α１に接続されたフェライトビーズインダクタ１０１ａのみからなる点で第１の実施形態（図１）と異なる。
このようにしても、フェライトビーズインダクタ１０１ａにより一次側電力線α１を伝搬するノイズを除去することができる。また、第１の実施形態よりも、部品点数を少なくすることができるので、電動機駆動電源・制御回路１の小面積化を図ることができる。
また、更に他の変形例では、第１ノイズフィルタ部１０は、フェライトビーズインダクタ１０１ａを有しておらず、一次側電力線α２に接続されたフェライトビーズインダクタ１０１ｂのみからなる態様であってもよい。
【００４４】
図６は、第１の実施形態の第２の変形例に係る電動機駆動電源・制御回路の回路構成を示す図である。
第２の変形例に係る第１ノイズフィルタ部１０は、図６に示すように、一次側電力線α１、α２上における、第２ノイズフィルタ部１１よりも商用電源２から遠い位置（整流回路１２に近い位置）に設けられる点で第１の実施形態（図１）と異なる。
このようにしても、フェライトビーズインダクタ１０１ａ、１０１ｂにより一次側電力線α１、α２を伝搬するノイズの除去効果を得ることができる。
【００４５】
図７は、第１の実施形態の第３の変形例に係る電動機駆動電源・制御回路の回路構成を示す図である。
第３の変形例に係る第１ノイズフィルタ部１０は、第２の変形例（図６）と同様に、一次側電力線α１、α２上における、第２ノイズフィルタ部１１よりも商用電源２から遠い位置に設けられる。しかし、第３の変形例に係る第１ノイズフィルタ部１０は、図７に示すように、フェライトビーズインダクタ１０１ｂを有しておらず、一次側電力線α１に接続されたフェライトビーズインダクタ１０１ａのみからなる点で第２の変形例（図６）と異なる。
このようにしても、フェライトビーズインダクタ１０１ａにより一次側電力線α１を伝搬するノイズを除去することができる。また、第１の実施形態及び第２の変形例よりも、部品点数を少なくすることができるので、電動機駆動電源・制御回路１の小面積化を図ることができる。
また、更に他の変形例では、第１ノイズフィルタ部１０は、第２ノイズフィルタ部１１よりも商用電源２から遠い位置において、フェライトビーズインダクタ１０１ａを有しておらず、一次側電力線α２に接続されたフェライトビーズインダクタ１０１ｂのみからなる態様であってもよい。
【００４６】
図８は、第１の実施形態の第４の変形例に係る電動機駆動電源・制御回路の回路構成を示す図である。
第４の変形例に係る第１ノイズフィルタ部１０は、図８に示すように、二次側電力線β１、β２上における、整流回路１２とスイッチング電源回路１３との間に設けられる点で第１の実施形態（図１）と異なる。
このようにしても、フェライトビーズインダクタ１０１ａ、１０１ｂにより二次側電力線β１、β２を伝搬するノイズの除去効果を得ることができる。
更に他の変形例では、第１ノイズフィルタ部１０は、二次側電力線β１、β２上において、フェライトビーズインダクタ１０１ｂを有しておらず、一次側電力線α１に接続されたフェライトビーズインダクタ１０１ａのみからなる態様であってもよい。また、更に別の変形例では、第１ノイズフィルタ部１０は、二次側電力線β１、β２上において、フェライトビーズインダクタ１０１ａを有しておらず、一次側電力線α２に接続されたフェライトビーズインダクタ１０１ｂのみからなる態様であってもよい。
【００４７】
また、更に他の変形例においては、第１ノイズフィルタ部１０を一次側電力線α１、α２上、及び、二次側電力線β１、β２上の少なくとも何れか一方に複数設けられる態様（例えば、第１の実施形態（図１）、上述の第２の変形例（図６）、及び、上述の第４の変形例（図８）を組み合わせた態様）であってもよい。
【００４８】
また、第１の実施形態に係る第１ノイズフィルタ部１０を構成するインダクタ素子は、フェライトビーズインダクタ１０１ａ、１０１ｂであるものとして説明したが、他の実施形態においてはこの態様に限定されない。
即ち、他の変形例に係る第１ノイズフィルタ部１０は、フェライトビーズインダクタではないインダクタ素子、コンデンサ素子等の受動素子の組み合わせにより、フェライトコアで除去可能なノイズを除去の対象とするように調整されたノイズフィルタ回路であってもよい。
【００４９】
また、第１の実施形態に係る第１ノイズフィルタ部１０を構成するフェライトビーズインダクタ１０１ａ、１０１ｂは、リード線１０１０と２個のフェライトビーズ１０１１で構成されるものとして説明したが、他の実施形態においてはこの態様に限定されない。
他の実施形態に係るフェライトビーズインダクタ１０１ａ、１０１ｂは、例えば、１個の、又は、３個以上のフェライトビーズ１０１１を有する態様であってもよい。
【００５０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００５１】
１  電動機駆動電源・制御回路
１Ａ  基板
１０  第１ノイズフィルタ部
１０１ａ、１０１ｂ  フェライトビーズインダクタ（インダクタ素子）
１０１０  リード線
１０１１  フェライトビーズ
１１  第２ノイズフィルタ部
１１０ａ、１１０ｂ  コモンモードチョークコイル
１１１ａ、１１１ｂ、１１１ｃ  コンデンサ素子
１２  整流回路
１３  スイッチング電源回路
１４  空調機制御用回路
２  商用電源
３  ファンモータ（電動機）
３０  電力変換回路
４  フェライトコア
９  電動機駆動電源・制御回路
Ｉ１、Ｉ２  一次側接続端子
Ｏ１、Ｏ２  二次側接続端子
Ｐ１、Ｐ２  インダクタ接続端子
α１、α２  一次側電力線
β１、β２  二次側電力線
Ｇ  グランド線
Ｗ  開口部
【図１】
2017158270.tif 000003
【図２】
2017158270.tif 000004
【図３】
2017158270.tif 000005
【図４】
2017158270.tif 000006
【図５】
2017158270.tif 000007
【図６】
2017158270.tif 000008
【図７】
2017158270.tif 000009
【図８】
2017158270.tif 000010